(57)【要約】【課題】屋外構造物の下方に位置する作業空間であっても、通気性及び採光性が高い作業空間を実現することができる足場構造を提供する。【解決手段】床パネル１２が具備する複数個の桟部材１２０のうち隣り合う桟部材１２０の断面は、一方の桟部材１２０の凸部１２０Ａと他方の桟部材１２０の凹部１２０Ｂが互いに対向かつ離間して配置された形状を有し、かつ、前記隣り合う桟部材１２０の間に床材表裏間を貫通する隙間が設けられており、前記隣り合う桟部材１２０間の離間距離及び／又は前記一方の桟部材１２０の断面における凸部１２０Ａの形状と前記他方の桟部材１２０の断面における凹部１２０Ｂの形状は、前記隣り合う桟部材１２０間の隙間の途中で物品を捕捉可能なように設定されている。【選択図】図１
2017020340.tif 000002
【特許請求の範囲】
【請求項１】
屋外構造物の下方に取り付けられていて、作業者の作業空間を有する足場構造であって、
略水平面内に配置され、作業者の足場となる床パネルと、
略鉛直方向に配置され、前記作業空間の側面となる側面パネルと、
を備える足場構造であり、
前記側面パネルは、ルーバー構造を具備しており、
前記側面パネルが具備するルーバー構造は、複数個の桟部材を備えており、
前記側面パネルが具備する前記複数個の桟部材のそれぞれの桟部材をその長手方向と直交する平面で切断したときの前記それぞれの桟部材の断面は、略鉛直上方に凸の形状を有しており、
前記床パネルは、ルーバー構造を具備しており、
前記床パネルが具備するルーバー構造は、複数個の桟部材を備えており、
前記床パネルが具備する前記複数個の桟部材のそれぞれの桟部材をその長手方向と直交する平面で切断したときの前記それぞれの桟部材の断面は、山型形状で末広がり状の凸部の形状と円弧状に湾曲する凹部の形状を有しており、
前記床パネルが具備する前記複数個の桟部材のうち隣り合う桟部材の断面は、一方の桟部材の前記凸部と他方の桟部材の前記凹部が互いに対向かつ離間して配置された形状を有し、かつ、前記隣り合う桟部材の間に床材表裏間を貫通する隙間が設けられており、
前記隣り合う桟部材間の離間距離及び／又は前記一方の桟部材の断面における前記凸部の形状と前記他方の桟部材の断面における前記凹部の形状は、前記隣り合う桟部材間の隙間の途中で物品を捕捉可能なように設定されていることを特徴とする足場構造。
【請求項２】
前記側面パネルが具備する前記ルーバー構造が備える前記複数個の桟部材の配置ピッチは、前記床パネルが具備する前記ルーバー構造が備える前記複数個の桟部材の配置ピッチよりも大きいことを特徴とする請求項１に記載の足場構造。
【発明の詳細な説明】
【技術分野】
【０００１】
本発明は、屋外構造物に対する足場構造に関し、特に橋梁構造物の上部工の点検・保守作業および補修工事等において好適に用いることができる足場構造に関する。
【背景技術】
【０００２】
橋梁構造物の上部工の点検・保守作業や補修工事等においては、立地条件等の点から、仮設足場を地上から組み上げることが困難なことが多い。このため、橋梁構造物の上部工の点検・保守作業や補修工事等の際には、橋梁構造物の上部工に取り付けた足場を用いて作業を行うことが多い。
【０００３】
橋梁構造物の上部工に取り付け可能な足場に関する技術としては、例えば、特許文献１〜３に記載の技術がある。
【０００４】
一方、足場を用いた作業において、作業者の高い作業効率と安全性を確保するためには、足場上の作業空間において通気性及び採光性が高いことが求められ、外気採り及び明かり採りが可能であることが重要である。
【０００５】
しかし、橋梁構造物の上部工の下方に作業空間を有する足場構造においては、その作業空間の上方は橋梁構造物の上部工に覆われ、下方には足場が配置されているため、高い通気性及び採光性を確保することが難しい。
【０００６】
ここで、通気性及び採光性に優れた床パネルに関する技術としては、特許文献４に記載の開孔床材（透かしパネル）がある。
【０００７】
特許文献４に記載の開孔床材（透かしパネル）１１０は、図２１および図２２に示されるように、水平方向に所定の間隔おきに並列に配置される複数の桟部材１２０と、各桟部材１２０の両側端部に沿って水平方向に延びるように配置される一対の側枠１３０と、複数の桟部材１２０の各間に配置されるジョイントピース１４０とを基本的な構成として備えている。
【０００８】
図２１〜図２４に示されるように、桟部材１２０は、アルミニウム又はその合金からなる押出成形品をもって構成されており、上下両端部に桟部材長さ方向に連続して延びる角チューブ形状の上側片１２１及び下側片１２１と、上下両側片１２１、１２１間に架け渡されるように一体形成され、かつ桟部材長さ方向に連続して延びる断面山型形状の突出部１２５と、上下両側片１２１、１２１間に架け渡されるように一体形成され、かつ上記突出部１２５に対し平行して桟部材長さ方向に連続して延びる断面円弧状の補強片１２４とを有している。
【０００９】
また、山型形状の突出部１２５は、末広がり状に形成され、両側斜面１２５ａが、内側に凹むよう湾曲する断面円弧形状に形成されている。更に桟部材１２０の補強片１２４側には、その補強片１２４を溝内周壁し、かつ桟部材長さ方向に連続して延びるピース挿着溝１２４ａが形成されている。このピース挿着溝１２４ａの開口両側縁部、換言すれば上下両側片１２１、１２１の一コーナー部には、桟部材長さ方向に長さ方向に連続する係合片１２１ａが、ピース挿着溝１２４ａの開口部両側部を閉塞する態様に形成されている。
【００１０】
また、突出部１２５における先端部内側には、桟部材長さ方向に連続して延びる略円形の孔が形成されており、この略円形孔における両側端部の開口周縁部がねじ止め部１２６として構成されている。
【００１１】
更に桟部材１２０のチューブ状上下両側片１２１、１２１における両側端部の開口部が、係合孔１２２、１２２として構成されている。
【００１２】
側枠１３０は、所定の長さを有する略帯板状のアルミニウム成形品をもって構成されており、上下両側縁部が内側に折曲されて、折曲補強片１３１、１３１が形成されている。更に側枠１３０には、長さ方向に所定の間隔おきに、換言すれば上記桟部材１２０の配列ピッチに対応して、上下両側の所要領域が開孔床材（透かしパネル）１１０に対し内側に切り起こされて係合突起１３２が形成されている。
【００１３】
また側枠１３０における係合突起１３２の各間のうち、一つおきの間には、その高さ方向中間位置に、上記桟部材１２０における両側端部のねじ止め部１２６にそれぞれ対応して、ねじ挿通孔１３６がそれぞれ形成されている。
【００１４】
一方、図２１〜図２３、図２５に示されるように、ジョイントピース１４０は、アルミニウム又はその合金からなるもので、一面側が上記桟部材１２０のピース挿着溝１２４ａに適合状態に挿入し得る挿着部１４１として構成されるとともに、その円弧状挿着部１４１の上下両端部に、上記桟部材１２０の係合片１２１ａに係合し得る係合凹部１４１ａが形成されている。
【００１５】
更にジョイントピース１４０の他面側は、上記桟部材１２０の突出部１２５を適合状態に接合し得るＶ溝形状の接合部１４５として構成されている。
【００１６】
特許文献４に記載の開孔床材１１０は、上記構成の桟部材１２０、側枠１３０及びジョイントピース１４０が、以下のように組み付けられて形成される。
【００１７】
すなわち、桟部材１２０のピース挿着溝１２４ａに、その端部開口部から、ジョイントピース１４０の挿着部１４１を挿入するとともに、桟部材１２０の係合片１２１ａを、ジョイントピース１４０の係合凹部１４１ａに係合して溝開口方向（桟部材配列方向）に抜止めした状態で、ジョイントピース１４０をピース挿着溝１２４ａに沿ってスライドさせて、桟部材１２０の所定位置、例えば開孔床材１１０の中心線上まで移動させる。
【００１８】
こうして全ての桟部材１２０にジョイントピース１４０を挿着した後、各桟部材１２０の両側端部における上下の係合孔１２２、１２２内に、桟部材１２０の両側から、一対の側枠１３０の係合突起１３２をそれぞれ挿入して係合し、桟部材１２０を側枠１３０に仮固定し、複数の桟部材１２０を一対の側枠１３０間に所定のピッチ配列で精度良く位置決めした状態に保持する。このとき、各桟部材１２０に挿着されたジョイントピース１４０におけるＶ溝形状の接合部１４５の内周面に、隣り合う桟部材１２０の山型突出部１２５が適合されて係合した状態で、複数の桟部材１２０の各間にジョイントピース１４０が配置される。
【００１９】
なお、この仮組状態においては、並列に配置された複数の桟部材１２０のうち、一つおきの桟部材１２０における両側端部のねじ止め部１２６が、両側枠１３０のねじ挿通孔１３６に位置的に対応して配置される。
【００２０】
続いて、タッピングビス等のねじ１５０を一対の側枠１３０の各ねじ挿通孔１３６に両側から挿入して、各桟部材１２０のねじ止め部１２６に締結固定する。こうして、所要の桟部材１２０が一対の側枠１３０に連結固定されることにより、ねじ止めされない桟部材１２０も含め全ての桟部材１２０が、一対の側枠１３０に挟持されて固定され、開孔床材１１０が組み付けられる。
【００２１】
この組付状態においては、図２３に示されるように、各桟部材１２０における突出部１２５の先端が、隣り合う桟部材１２０のピース挿着溝１２４ａの内部に配置されて、換言すれば隣り合う桟部材１２０の上下両側片１２１、１２１に水平方向に交わる態様に配置されて、開孔床材１１０の表裏間における視線の透過が防止されて、優れた遮蔽性を得ることができる。同時に、隣り合う桟部材１２０、１２０間には、床材表裏間を貫通する隙間が設けられて、良好な通気性及び採光性を得ることができる。
【００２２】
また、桟部材１２０の各間にジョイントピース１４０を介在させているため、桟部材１２０の中間部に多大な局部荷重が加わって、桟部材１２０が弾性変形しようとした際に、その変形応力がジョイントピース１４０を介して隣り合う桟部材１２０に順次伝わることにより、上記局部荷重が全ての桟部材１２０に分散されて、桟部材１２０全体、ひいては開孔床材（透かしパネル）１１０全体で局部荷重を受け止めることができる。このように局部的に応力が集中することを回避できるので、桟部材１２０の変形を最小限に抑制することができ、良好な耐荷重性を得ることができ、耐久性の向上等を図ることができる。
【００２３】
しかしながら、特許文献４に記載の床パネルは、特許文献４の段落０００１にも記載されているように、例えば積層式書架や積層式倉庫等における階上フロア用の開孔床材等として好適に用いられる透かしパネルであり、建築物の内部での使用を目的としたものであって、橋梁構造物の上部工等の屋外構造物の下方に作業空間を有する足場構造における床パネルとして適用可能かどうかは全くの未知数である。
【先行技術文献】
【特許文献】
【００２４】
【特許文献１】特開平８−７４４１６号公報
【特許文献２】特開２００４−３２４２３０号公報
【特許文献３】特開２０１５−８１４５５号公報
【特許文献４】特許第４７０４５９７号公報
【発明の概要】
【発明が解決しようとする課題】
【００２５】
本発明は、かかる点に鑑みてなされたものであり、屋外構造物の下方に位置する作業空間であっても、通気性及び採光性が高い作業空間を実現することができる足場構造を提供することを課題とする。
【課題を解決するための手段】
【００２６】
本発明は、以下の足場構造により、前記課題を解決したものである。
【００２７】
即ち、本発明に係る足場構造の第１の態様は、屋外構造物に取り付けられていて、かつ、該屋外構造物の下方に作業空間を有する足場構造であって、作業員を下方から支持して足場となる床パネルと、前記屋外構造物に取り付けられていて前記床パネルを支持する複数の梁部材と、を備え、前記床パネルは上方から見た形状が長方形状であり、前記複数の梁部材のうち、略同一水平面内で略平行に隣り合う一対の梁部材が前記床パネルの対向する２辺を略同一水平面内となるように支持しており、かつ、前記床パネルは、ルーバー構造を備えることを特徴とする足場構造である。
【００２８】
ここで、「取り付け」には、対象物に直接接して取り付けられている場合だけでなく、他の部材を介して対象物に間接的に取り付けられている場合も含む（本願において、以下同様。）。
【００２９】
また、本願において、ルーバー構造とは、細長い部材をその長手方向が一定の方向になるように、長手方向と直交する方向に間隔を開けて組んだ構造のことをいう。また、ルーバー構造に用いる細長い部材は、中実であっても中空であってもよい。
【００３０】
本発明に係る足場構造の第１の態様において、前記床パネルの対向する２辺を略同一水平面内となるように支持している前記一対の梁部材を一対のＨ形の鋼材とし、該一対のＨ形の鋼材が、下フランジの高さ位置が略同一となるように配置し、該一対のＨ形の鋼材の下フランジによって、前記床パネルの対向する２辺が支持されているように構成してもよい。
【００３１】
前記屋外構造物は、例えば橋梁構造物の上部工である。
【００３２】
前記上部工に取り付けられて、前記作業空間における前記橋梁構造物の橋軸直角方向の端部において略鉛直方向に立設されていて、かつ、前記橋梁構造物の橋軸方向に列状に配置された側面パネルを更に備えさせ、該側面パネルがルーバー構造を備えるようにしてもよい。
【００３３】
前記床パネルの前記ルーバー構造が複数個の桟部材を有してなり、かつ、前記側面パネルの前記ルーバー構造が複数個の桟部材を有してなり、前記側面パネルの前記ルーバー構造の前記桟部材の配置ピッチが、前記床パネルの前記ルーバー構造の前記桟部材の配置ピッチよりも大きくなるようにしてもよい。
【００３４】
前記側面パネルの前記ルーバー構造が複数個の桟部材を有してなるようにし、略鉛直方向に立設された前記側面パネルの前記ルーバー構造の前記桟部材をその長手方向と直交する平面で切断した時の断面形状が、略鉛直方向に凸の形状を有するようにしてもよい。
【００３５】
本発明に係る足場構造の第２の態様は、屋外構造物に取り付けられていて、かつ、該屋外構造物の下方に作業空間を有する足場構造であって、作業員を下方から支持して足場となる床パネルと、前記屋外構造物に取り付けられていて前記床パネルを支持する複数の梁部材と、を備え、前記床パネルは、長手方向が略水平方向となるように、かつ、長手方向と略直交する方向に間隔を開けてお互いに略平行になるように略同一水平面内に配置された複数の桟部材と、長手方向が前記桟部材の長手方向と略直交するように略同一水平面内に配置されて、前記複数の桟部材の両端部を固定する一対の側枠と、を備え、上方から見た形状が長方形状であり、前記複数の梁部材のうち、略同一水平面内で略平行に隣り合う一対の梁部材が前記床パネルの前記一対の側枠を略同一水平面内となるように支持しており、前記床パネルが備える前記複数の桟部材のうち隣り合う桟部材をそれらの長手方向と直交する平面で切断した時の断面形状は、一方の桟部材の凸部が他方の桟部材の凹部と対向かつ離間して配置された形状を有することを特徴とする足場構造である。
【００３６】
前記凸部が前記凹部の中に入り込んでいることが好ましい。
【００３７】
櫛歯状に下方に突出する複数の下方突起部を有する床パネル固定部材をさらに備えさせ、前記床パネル固定部材の前記下方突起部が、隣り合う前記桟部材の間の間隔に挿入されるように前記床パネル固定部材が前記一対の梁部材のうちの少なくとも一方の梁部材に取り付けられていることが好ましい。
【００３８】
前記床パネルの前記一対の側枠を略同一水平面内となるように支持している前記一対の梁部材を一対のＨ形の鋼材とし、該一対のＨ形の鋼材を、下フランジの高さ位置が略同一となるように配置し、該一対のＨ形の鋼材の下フランジによって、前記床パネルの前記一対の側枠が支持されているように構成してもよい。
【００３９】
前記一対のＨ形の鋼材のうちの少なくとも一方のＨ形の鋼材のウェブと前記側枠との間には、水平方向に間隙が設けられていることが好ましい。
【００４０】
本発明に係る足場構造の第２の態様において、前記屋外構造物は、例えば橋梁構造物の上部工である。
【００４１】
前記上部工に取り付けられて、前記作業空間における前記橋梁構造物の橋軸直角方向の端部において略鉛直方向に立設され、かつ、前記橋梁構造物の橋軸方向に列状に配置された側面パネルを更に備えさせ、該側面パネルが、長手方向と略直交する方向に間隔を開けてお互いに略平行になるように配置された複数の桟部材と、長手方向が前記桟部材の長手方向と略直交するように配置されて、前記複数の桟部材の両端部を固定する一対の側枠と、を備え、前記側面パネルの前記複数の桟部材のうち隣り合う桟部材をそれらの長手方向と直交する平面で切断した時の断面形状が、一方の桟部材の凸部が他方の桟部材の凹部と対向かつ離間して配置された形状を有するように構成してもよい。
【００４２】
前記側面パネルの前記桟部材の配置ピッチは、前記床パネルの前記桟部材の配置ピッチよりも大きくなるようにしてもよい。
【００４３】
略鉛直方向に立設された前記側面パネルの前記桟部材をその長手方向と直交する平面で切断した時の断面形状が、略鉛直方向に凸の形状を有するようにしてもよい。
【００４４】
前記側面パネルの前記複数の桟部材の長手方向が、前記床パネルの前記複数の桟部材の長手方向と略平行になっているようにしてもよい。
【００４５】
本発明に係る足場構造の第１の態様および第２の態様において、前記床パネルの前記橋梁構造物の橋軸直角方向の端部と前記側面パネルの下端部との間の間隙を、前記床パネルおよび前記側面パネルよりも外側から覆う下段見切材が、さらに備えられていることが好ましい。
【００４６】
ここで、「前記床パネルおよび前記側面パネルよりも外側」とは、前記床パネルおよび前記側面パネルにおいて、前記作業空間とは反対の側を意味する。
【００４７】
また、前記側面パネルの上端部と前記橋梁構造物との間の間隙の少なくとも一部を、前記側面パネルよりも外側から覆う上段見切材が、さらに備えられていることが好ましい。
【００４８】
前記橋梁構造物が上り線の上部工と下り線の上部工を有している場合、前記上り線の上部工の下方に作業空間を有する前記足場構造の部位の前記床パネルと、前記下り線の上部工の下方に作業空間を有する前記足場構造の部位の前記床パネルとは、略同一平面内にあることが好ましい。
【００４９】
また、前記橋梁構造物が上り線の上部工と下り線の上部工を有している場合、前記上り線の上部工の下方に作業空間を有する前記足場構造の部位の前記床パネルの前記下り線側の端部を覆う中分見切材と、前記下り線の上部工の下方に作業空間を有する前記足場構造の部位の前記床パネルの前記上り線側の端部を覆う中分見切材とを備えていることが好ましい。
【００５０】
前記桟部材は、アルミニウム製又はアルミニウム合金製としてもよい。
【００５１】
本発明に係る足場構造の第１の態様および第２の態様に係る足場構造は、恒久足場としてもよい。
【００５２】
ここで、恒久足場とは、対象とする構造物に長期間設置する足場のことである。
【発明の効果】
【００５３】
本発明に係る足場構造によれば、屋外構造物の下方に位置する作業空間であっても、通気性及び採光性が高い作業空間を実現することができる。
【図面の簡単な説明】
【００５４】
【図１】本発明の実施形態に係る足場構造を斜め下方から見上げた斜視図
【図２】本発明の実施形態に係る足場構造を橋軸直角方向と平行な鉛直面で切断した断面図
【図３】図２のＩＩＩ部の拡大断面図
【図４】図２のＩＶ部の拡大断面図
【図５】本発明の実施形態に係る足場構造で用いる床パネルを示す図で、（ａ）上面図、（ｂ）側面図
【図６】図５（ｂ）のＶＩ−ＶＩ線断面図
【図７】本発明の実施形態に係る足場構造で用いる横梁３０および床パネル１２の部位を横梁３０と直交する鉛直面で切断した拡大断面図
【図８】本発明の実施形態に係る足場構造で用いる床パネル固定金物３４の三面図で、（ａ）正面図、（ｂ）側面図、（ｃ）上面図
【図９】図７のＩＸ部の拡大断面図
【図１０】本発明の実施形態に係る足場構造において、床パネル固定金物３４の部位を上方から見た上面図
【図１１】本発明の実施形態に係る足場構造において、床パネル固定金物３４の部位を橋軸方向（横梁３０の長手方向と直交する水平方向）から見た側面図
【図１２】落下防止機構の部位を示す横梁３０の断面図
【図１３】図２のＸＩＩＩ部の拡大断面図
【図１４】本発明の実施形態に係る足場構造で用いる側面パネル１６の桟部材１２０をその長手方向と直交する平面で切断した時の断面図
【図１５】本発明の実施形態に係る足場構造に適用可能な床パネルの変形例の上面図
【図１６】本発明の実施形態に係る足場構造に適用可能な床パネルの変形例の上面図
【図１７】本発明の実施形態に係る足場構造に適用可能な床パネルの変形例の上面図
【図１８】本発明の実施形態に係る足場構造に適用可能な床パネルの変形例の上面図
【図１９】本発明の実施形態に係る足場構造に適用可能な床パネルの変形例の上面図
【図２０】本発明の実施形態に係る足場構造に適用可能な床パネルの変形例の上面図
【図２１】特許文献４に記載の開孔床材を示す上面図
【図２２】特許文献４に記載の開孔床材の要部を拡大して分解状態で示す斜視図
【図２３】図２２のＸＸＩＩＩ−ＸＸＩＩＩ線断面図
【図２４】特許文献４に記載の開孔床材に適用された桟部材を示す断面図
【図２５】特許文献４に記載の開孔床材に適用されたジョイントピースを示す側面図
【発明を実施するための形態】
【００５５】
以下、図面を参照して、本発明の実施形態を詳細に説明する。
【００５６】
図１は、本発明の実施形態に係る足場構造１０を斜め下方から見上げた斜視図であり、図２は、本発明の実施形態に係る足場構造１０を橋軸直角方向と平行な鉛直面で切断した断面図であり、図３は、図２のＩＩＩ部の拡大断面図であり、図４は、図２のＩＶ部の拡大断面図である。
【００５７】
図１〜図４に示すように、本実施形態に係る足場構造１０は、床パネル１２と、床パネル取り付け構造１４と、側面パネル１６と、側面パネル取り付け構造１８と、を備えてなり、橋梁構造物８０の上部工８２の下方に構築されており、本実施形態に係る足場構造１０は橋梁構造物８０の上部工８２の下方に作業空間を有する。床パネル１２は床パネル取り付け構造１４を介して橋梁構造物８０の上部工８２に取り付けられており、また、側面パネル１６は側面パネル取り付け構造１８を介して橋梁構造物８０の上部工８２に取り付けられている。
【００５８】
（床パネルおよび床パネル取り付け構造）
床パネル１２は、作業員や工事資材等の荷重を直接下方から支持するパネルであり、床パネル１２の上方に作業空間が形成されている。床パネル１２の各部の構成は、ジョイントピース１４０を有していないことを除き、先に［背景技術］において説明した特許文献４に記載の開孔床材（透かしパネル）１１０と同様であり、桟部材１２０が間隔を開けて配置されることにより、ルーバー構造１２Ａとなっている（図５（ａ）参照）。したがって、床パネル１２を構成する各部材には、特許文献４に記載の開孔床材（透かしパネル）１１０の対応する各部材の符号を付しており、説明を省略する場合がある。
【００５９】
床パネル１２は、図５（ａ）（上面図）および図５（ｂ）（側面図）に示すように、長手方向が略水平方向となるように、かつ、長手方向と略直交する方向に間隔を開けてお互いに略平行になるように略同一水平面内に配置された複数の桟部材１２０と、長手方向が桟部材１２０の長手方向と略直交するように略同一水平面内に配置されて、複数の桟部材１２０の両端部を固定する一対の側枠１３０とを基本的な構成として備えており、一対の側枠１３０が並列に配置された複数の桟部材１２０の両端部を固定している。これにより床パネル１２は一定の形状を維持しており、床パネル１２を上方から見た形状は長方形状である。
【００６０】
床パネル１２の隣り合う桟部材１２０をそれらの長手方向と直交する平面で切断した時の断面形状は、図６（図５（ｂ）のＶＩ−ＶＩ線断面図）に示すように、一方の桟部材１２０の凸部１２０Ａが他方の桟部材１２０の凹部１２０Ｂと対向かつ離間して配置された形状を有し、かつ、一方の桟部材１２０の凸部１２０Ａが他方の桟部材１２０の凹部１２０Ｂの中に入り込んでいる。このため、床パネル１２の表裏間における視線の透過が防止されて、優れた遮蔽性を得ることができる。
【００６１】
また、床パネル１２においては、隣り合う桟部材１２０の間に、開孔床材（透かしパネル）１１０と同様、床材表裏間を貫通する隙間１２０Ｃを設けており、ルーバー構造１２Ａを備えているので、良好な通気性及び採光性を得ることができる。また、隣り合う桟部材１２０の間に隙間１２０Ｃを設けることは、軽量化にも寄与する。
【００６２】
また、図６に示すように、隣り合う桟部材１２０同士の間の隙間１２０Ｃは、「く」の字に屈曲した貫通孔である。そのため、作業空間内で作業者が、その貫通孔（隙間１２０Ｃ）に入り込む大きさの物品を誤って落下させてしまっても、過度に小さなものでない限り、「く」の字に屈曲した貫通孔（隙間１２０Ｃ）の途中で落下させた物品を捕捉することができ、作業空間外への落下を防ぐことができる。
【００６３】
隙間１２０Ｃの途中で捕捉可能な物品の大きさは、隣り合う桟部材１２０間の離間距離により調整することができる。また、桟部材１２０の断面における凸部１２０Ａと凹部１２０Ｂの形状の設定の仕方でも、隙間１２０Ｃの途中で捕捉可能な物品の大きさを調整することができる。例えば、桟部材１２０の断面における凸部１２０Ａと凹部１２０Ｂにおいて、凹部１２０Ｂの凹みの程度よりも、凸部１２０Ａの突出の方を大きくすることで、大きさのより小さな物品であっても、貫通孔の途中で捕捉可能なようにすることができる。隣り合う桟部材１２０間の離間距離及び／又は桟部材１２０の断面における凸部１２０Ａと凹部１２０Ｂの形状を適切に設定することにより、床パネル１２の隙間１２０Ｃを通り抜けると実害が生じるおそれがある大きさの物品が床パネル１２を通過しないようにすることができる。
【００６４】
また、隣り合う桟部材１２０同士の間の隙間１２０Ｃは、「く」の字に屈曲した貫通孔であるため、外部から本実施形態に係る足場構造１０の作業空間内に入り込む光は、桟部材１２０の表面で１回以上反射された光であり、日光が足場構造１０の作業空間内に直接射し込むわけではない。このため、桟部材１２０を、紫外線に対する反射率が低く、可視光に対する反射率が高い材料で作製するか、あるいは、桟部材１２０の表面を、紫外線に対する反射率が低く、可視光に対する反射率が高い材料で被覆することにより、足場構造１０の作業空間内への紫外線の流入を選択的に減じることができ、本実施形態に係る足場構造１０の作業空間内に位置する、橋梁構造物８０の橋桁表面に対する塗装を、紫外線に強い外面塗装仕様とすることに替えて、部分的又は全面的に内面塗装仕様とすることもでき、塗装のコストを抑えることも可能である。
【００６５】
なお、特許文献４に記載の開孔床材（透かしパネル）１１０においては、桟部材１２０はアルミニウム又はアルミニウム合金からなる押出成形品をもって構成されているが、本実施形態に係る足場構造１０においては、桟部材１２０の材質はアルミニウム又はアルミニウム合金に限定されるわけではなく、要求される強度や重量等の条件を満たせば鋼等を桟部材１２０に用いてもよい。ただし、アルミニウム又はアルミニウム合金は鋼と比較して軽量であるので、軽量化の観点からは、桟部材１２０の材質をアルミニウム又はアルミニウム合金にすることが好ましい。また、アルミニウム特有の外観も意匠性の向上に寄与する場合がある。
【００６６】
床パネル取り付け構造１４は、図３に示すように、山形の鋼材からなる第１の連結部材２０と、溝形の鋼材からなる腕材２２と、山形の鋼材からなる吊り材２４と、山形の鋼材からなる第２の連結部材２６と、Ｈ形の鋼材からなる縦梁２８と、Ｈ形の鋼材からなる横梁３０と、を有してなり、床パネル１２を橋梁構造物８０の上部工８２に取り付ける役割を有する。図３に示すように、橋梁構造物８０の上部工８２の１つの主桁８４に対して２つの腕材２２がそれぞれ橋軸直角方向に取り付けられており、２つの腕材２２のそれぞれに吊り材２４、第２の連結部材２６、縦梁２８が取り付けられている。そして、長手方向が橋軸方向である縦梁２８と直交するように、長手方向が橋軸直角方向である横梁３０が複数の縦梁２８に水平方向に取り付けられている。
【００６７】
具体的には、主桁８４のウェブ８４Ａに山形の鋼材である第１の連結部材２０の一面が高力ボルト３２Ａによって取り付けられ、第１の連結部材２０の他面に２つの腕材２２のうちの一方の腕材２２Ａの一端部が高力ボルト３２Ｂによって取り付けられ、腕材２２Ａの他端部に吊り材２４の上端部が高力ボルト３２Ｃによって取り付けられ、吊り材２４の下端部に山形の鋼材からなる第２の連結部材２６の一面が高力ボルト３２Ｄによって取り付けられ、第２の連結部材２６の他面にＨ形の鋼材からなる縦梁２８の上フランジ２８Ａが普通ボルト３２Ｅによって取り付けられている。
【００６８】
橋梁構造物８０の上部工８２の１つの主桁８４に取り付けられる２つの腕材２２のうちの他方の腕材２２Ｂは、その一端部が高力ボルト３２Ｇによって主桁８４の補剛材８４Ｃに取り付けられ、腕材２２Ｂの他端部に吊り材２４の上端部が高力ボルト３２Ｃによって取り付けられ、吊り材２４の下端部に山形の鋼材からなる第２の連結部材２６の一面が高力ボルト３２Ｄによって取り付けられ、第２の連結部材２６の他面にＨ形の鋼材からなる縦梁２８の上フランジ２８Ａが普通ボルト３２Ｅによって取り付けられている。
【００６９】
複数の縦梁２８の下フランジ２８Ｂに横梁３０の上フランジ３０Ａが普通ボルト３２Ｆによって取り付けられ、長手方向が水平方向であって橋軸直角方向である横梁３０は複数の縦梁２８によって上方から支持されている。
【００７０】
隣り合う一対の横梁３０は、図７（横梁３０と直交する鉛直面で切断した拡大断面図）に示すように、長手方向が略水平方向であって橋軸直角方向となるように、かつ、お互いに略平行であって略同一平面内となるように配置されている。そして、隣り合う一対の横梁３０の下フランジ３０Ｂの上に床パネル１２の一対の側枠１３０がそれぞれ載置され、隣り合う一対の横梁３０の下フランジ３０Ｂは、床パネル１２の一対の側枠１３０を略同一水平面内となるように支持している。ここで、隣り合う一対の横梁３０の下フランジ３０Ｂの高さ位置が略同一となるように、隣り合う一対の横梁３０は配置されているので、隣り合う一対の横梁３０の下フランジ３０Ｂの上に床パネル１２の一対の側枠１３０をそれぞれ載置すれば、床パネル１２の一対の側枠１３０は略同一水平面内に位置することとなる。
【００７１】
図７に示すように、さらに床パネル固定金物３４が、床パネル１２が横梁３０の長手方向（橋軸直角方向）にずれないように位置を規制している。また、床パネル固定金物３４は床パネル１２が上下方向に動くことも規制している。
【００７２】
また、図７に示すように、床パネル１２の端部である側枠１３０を横梁３０の下フランジ３０Ｂが下方から覆っており、外部から視認できないようになっているので、本実施形態に係る足場構造１０および足場構造１０を伴う橋梁構造物８０は、意匠性および景観性にも配慮した構造となっている。
【００７３】
図８（ａ）、（ｂ）、（ｃ）に床パネル固定金物３４の三面図を示す。図８（ａ）は正面図、図８（ｂ）は側面図、図８（ｃ）は上面図である。図８（ａ）、（ｂ）、（ｃ）に示すように、床パネル固定金物３４は、鉛直部３４Ａと、水平部３４Ｂと、櫛歯状に下方に突出する複数の下方突起部３４Ｃと、を有する。
【００７４】
図８（ａ）に示すように、床パネル固定金物３４の鉛直部３４Ａには貫通孔の長孔３４Ｄが設けられている。また、図９（図７のＩＸ部の拡大断面図）に示すように、床パネル固定金物３４を設置する位置に対応する横梁３０のウェブ３０Ｃの部位には、貫通孔３０Ｄが設けられている。そして、床パネル固定金物３４の長孔３４Ｄの位置が横梁３０の貫通孔３０Ｄの位置と合うように、横梁３０のウェブ３０Ｃの両側に床パネル固定金物３４がそれぞれ配置されており、普通ボルト３５により固定されている。
【００７５】
床パネル固定金物３４の下方突起部３４Ｃは、図９に示すように、床パネル１２の桟部材１２０の間に入り込んでおり、床パネル１２が横梁３０の長手方向（橋軸直角方向）にずれる動きを規制している。また、床パネル固定金物３４の水平部３４Ｂは、図９に示すように、床パネル１２の側枠１３０の上端部の折曲補強片１３１を上方から押えており、床パネル１２が上下方向に動くことを規制している。
【００７６】
床パネル１２の取り付け構造について、図９〜図１１を用いてさらに説明する。図１０は、本実施形態に係る足場構造１０において、床パネル固定金物３４の部位を上方から見た上面図であり、図１１は、本実施形態に係る足場構造１０において、床パネル固定金物３４の部位を橋軸方向（横梁３０の長手方向と直交する水平方向）から見た側面図である。なお、図１０においては、図示の都合上、床パネル固定金物３４の上方に位置する横梁３０の上フランジ３０Ａを２点鎖線で描いている。
【００７７】
図９〜図１１に示すように、床パネル固定金物３４の下方突起部３４Ｃは、床パネル１２の桟部材１２０の間に入り込んでおり、床パネル１２が横梁３０の長手方向（橋軸直角方向）にずれる動きを規制している。また、床パネル固定金物３４の水平部３４Ｂは、図９〜図１１に示すように、床パネル１２の側枠１３０の上端部の折曲補強片１３１を上方から押えており、床パネル１２が上下方向に動くことを規制している。
【００７８】
なお、本実施形態では、図７に示すように、床パネル１２の一対の側枠１３０のそれぞれに対して床パネル固定金物３４が設けられているが、安全が確認できれば、床パネル１２の一対の側枠１３０のいずれか一方のみに対して床パネル固定金物３４を設けるようにしてもよい。
【００７９】
また、図９に示すように、床パネル１２の側枠１３０と横梁３０のウェブ３０Ｃとの間には間隙３０Ｅが設けられており、気温の上昇に伴って床パネル１２が膨張してもその膨張分を逃がせるようになっている。また、床パネル固定金物３４の下方突起部３４Ｃと側枠１３０の上端の折曲補強片１３１との間にも間隙３０Ｆが設けられており、気温の低下に伴って床パネル１２が収縮してもその収縮分を逃がせるようになっている。このため、本実施形態に係る足場構造１０は気温の変化にも強い構造になっている。なお、気温の大きな低下に伴って床パネル１２がたとえ大きく収縮しても、床パネル１２の側枠１３０が横梁３０の下フランジ３０Ｂから外れることがないように、横梁３０の下フランジ３０Ｂの幅、隣り合う横梁３０同士の間の間隔、および床パネル１２の橋軸方向の長さが設計されている。
【００８０】
また、図１２（落下防止機構の部位を示す横梁３０の断面図）に示すように、床パネル１２の側枠１３０には、落下防止ワイヤ通し金具３６が普通ボルト３７によって取り付けられている。図３および図１２に示すように、落下防止ワイヤ通し金具３６には貫通孔３６Ａが設けられており、該貫通孔３６Ａにはワイヤ６８が挿通されており、ワイヤ６８の両端部にはストッパ６８Ａおよびワッシャー６８Ｂが取り付けられている。ワイヤ６８は、横梁３０のウェブ３０Ｃを中心として反対側に位置する２つの落下防止ワイヤ通し金具３６の貫通孔３６Ａに挿通されており、万一、床パネル１２が横梁３０の下フランジ３０Ｂから外れても、ワッシャー６８Ｂを介してストッパ６８Ａが落下防止ワイヤ通し金具３６に引っ掛かるようになっている。このため、万一、床パネル１２が横梁３０の下フランジ３０Ｂから外れても、図１２に示すように、落下防止ワイヤ通し金具３６およびワイヤ６８を介して床パネル１２が横梁３０に支持されるようになっており、床パネル１２が落下することがないようにされている。なお、図１２に示す落下防止ワイヤ通し金具３６とワイヤ６８との連結は一例であり、３つ以上の落下防止ワイヤ通し金具３６にワイヤ６８を挿通させて、落下防止ワイヤ通し金具３６およびワイヤ６８を介して床パネル１２が横梁３０に支持されるようにしてもよい。
【００８１】
また、本実施形態の足場構造１０は、上下線の境界に対応する箇所で分割されているが、その分割箇所（図２のＸＩＩＩ部）を拡大した断面図を図１３に示す。図１３に示すように、足場構造１０は上下線の境界に対応する箇所で分割されており、その分割箇所の端部には中分見切材７０がそれぞれ設けられている。中分見切材７０は横梁３０の上フランジ３０Ａに普通ボルト７０Ａで取り付けられている。
【００８２】
本実施形態の足場構造１０は、上下線の境界に対応する箇所で分割されているが、図１３に示すように、段差はない。このため、足場構造１０の作業空間内に段差はなく、作業足場が連続しており、足場構造１０の作業空間は、作業効率および安全性が高い作業空間となっている。
【００８３】
なお、分割箇所の端部に段差がたとえ生じた場合であっても、その分割箇所の端部に中分見切材７０をそれぞれ設けることにより、分割箇所がそのまま作業空間に露出されることがなくなり、作業空間の安全性を向上させることができる。
【００８４】
（側面パネルおよび側面パネル取り付け構造）
側面パネル１６は、足場構造１０の作業空間（床パネル１２の上方に形成される作業空間）における橋梁構造物８０の橋軸直角方向の両端部において略鉛直方向に立設され、かつ、橋梁構造物８０の橋軸方向に隣り合うように列状に配置されたパネルである。側面パネル１６は、作業員の転落を防止する役割とともに、雨滴の侵入を防止する役割や外部からの視線を遮る役割を有する。
【００８５】
側面パネル１６の各部の構成は、桟部材１２０の配置ピッチが床パネル１２よりも大きいことを除き、床パネル１２と同様である。したがって、側面パネル１６を構成する各部材には、対応する床パネル１２の各部材の符号を付し、原則として説明は省略する。
【００８６】
側面パネル１６は、床パネル１２と同様に、桟部材１２０が間隔を開けて配置されたルーバー構造となっており、側面の通風性および採光性が良好である。
【００８７】
床パネル１２においては、図６に示すように、各桟部材１２０の凸部１２０Ａが、隣り合う桟部材１２０の凹部１２０Ｂの中に入り込んで、床パネル１２の表裏間における視線の透過が防止されて、優れた遮蔽性を得ることができるようになっているが、側面パネル１６においては、桟部材１２０の配置ピッチが床パネル１２よりも大きくなるようにしており、各桟部材１２０の凸部１２０Ａが、隣り合う桟部材１２０の凹部１２０Ｂの中に入り込んでいなくてもよい。各桟部材１２０における凸部１２０Ａが、隣り合う桟部材１２０の凹部１２０Ｂの中に入り込んでいなくても、斜め下方からの視線は遮ることができる。
【００８８】
側面パネル１６においては、桟部材１２０の配置ピッチが床パネル１２よりも例えば２倍程度に大きくなるようにしているので、通風性および採光性が良好である。また、側面パネル１６においては、桟部材１２０の配置ピッチが大きいため、風をある程度透過させることができ、風荷重を軽減することもできる。また、桟部材１２０の配置ピッチが大きいため、軽量化にもより寄与している。また、側面パネル１６の桟部材１２０の配置ピッチを床パネル１２の桟部材１２０の配置ピッチよりも大きくすることは、本実施形態に係る足場構造１０および足場構造１０を伴う橋梁構造物８０の意匠性や景観性の向上に寄与する場合もある。
【００８９】
また、略鉛直方向に立設された側面パネル１６の桟部材１２０をその長手方向と直交する平面で切断した時の断面形状は、図１４に示すように、凸部１２０Ｄを有し、略鉛直方向に凸の形状を有する。このため、作業空間の外部から、側面パネル１６を通じて、作業空間の内部に侵入しようとする雨滴の多くは、各桟部材１２０の略鉛直方向に凸の形状になった箇所（凸部１２０Ｄ）でせき止められ、下方に向かって流れ落ち、桟部材１２０に留まることがない。それ故、側面パネル１６は作業空間の内部への雨滴の侵入を防止又は抑制することができ、かつ、側面パネル１６内に雨水が溜まりにくくなっている。
【００９０】
また、側面パネル１６の複数の桟部材１２０の長手方向が、床パネル１２の複数の桟部材１２０の長手方向と略平行になるように側面パネル１６を配置してもよい。このように配置すると、足場構造１０の外観に整然さと規則性を与えて、意匠性および景観性に好影響を与える場合がある。
【００９１】
側面パネル取り付け構造１８は、山形の鋼材からなる第３の連結部材４０と、溝形の鋼材からなる腕材４２、４８と、山形の鋼材からなる第４の連結部材４４、第５の連結部材４６および第６の連結部材５０と、Ｈ形の鋼材からなり略鉛直方向に立設された支柱５２と、を有してなり、橋梁構造物８０の橋軸直角方向の端部寄りの主桁８６に取り付けられており、側面パネル１６を橋梁構造物８０の上部工８２に取り付ける役割を有する。図４に示すように、橋梁構造物８０の橋軸直角方向の端部寄りの主桁８６に対して、主桁８６の中央部よりもやや上方寄りの位置に腕材４２が橋軸直角方向に取り付けられているとともに、主桁８６の下端部寄りの位置に腕材４８が橋軸直角方向に取り付けられている。そして、支柱５２が第４の連結部材４４および第６の連結部材５０を介して腕材４２、４８に取り付けられている。
【００９２】
具体的には、主桁８６のウェブ８６Ａの上端部寄りの位置に山形の鋼材である第３の連結部材４０の一面が高力ボルト５４Ａによって取り付けられ、第３の連結部材４０の他面に腕材４２の一端部が高力ボルト５４Ｂによって取り付けられ、腕材４２の他端部に第４の連結部材４４の一面が高力ボルト５４Ｃによって取り付けられ、支柱５２のフランジ５２Ａの上端部寄りの位置が第４の連結部材４４の他面に普通ボルト５４Ｄによって取り付けられ、主桁８６のウェブ８６Ａの下端部寄りの位置に山形の鋼材である第５の連結部材４６の一面が高力ボルト５４Ｅによって取り付けられ、第５の連結部材４６の他面に腕材４８の一端部が高力ボルト５４Ｆによって取り付けられ、腕材４８の他端部に第６の連結部材５０の一面が高力ボルト５４Ｇによって取り付けられ、支柱５２のフランジ５２Ａの下端部寄りの位置が第６の連結部材５０の他面に普通ボルト５４Ｈによって取り付けられている。なお、本実施形態においては、支柱５２のおよそ下半分については、その長手方向が鉛直方向からずれている。そのため、支柱５２のフランジ５２Ａと第６の連結部材５０の他面との間には、角度のずれを調整するために、くさび状の部材であるスペーサ５０Ａを介在させている。
【００９３】
以上のようにして上部工８２に支柱５２は連結されており、その支柱５２のフランジ５２Ｂに側面パネル１６の側枠１３０（折曲補強片１３１）が普通ボルト５６によって取り付けられて、桟部材１２０の長手方向が橋軸方向となるように、側面パネル１６が、足場構造１０の作業空間（床パネル１２の上方に形成される作業空間）における橋梁構造物８０の橋軸直角方向の両端部に設置されている。
【００９４】
床パネル１２の橋軸直角方向の端部と側面パネル１６の下端部との間には間隙６０が開いているが、図４に示すように、Ｌ字型の鋼材である下段見切材６２が、普通ボルト６２Ａによって横梁３０の下フランジ３０Ｂに取り付けられており、床パネル１２および側面パネル１６よりも外側から間隙６０を覆っている。
【００９５】
Ｌ字型の鋼材である下段見切材６２が、間隙６０を、床パネル１２および側面パネル１６よりも外側から覆うことにより、工具等の物品が間隙６０から下方に落下することを防ぎ、物品の落下による事故を未然に防ぐことができる。また、間隙６０から雨滴や鳥獣が足場構造１０の作業空間内に侵入することを未然に防ぐことができる。また、Ｌ字型の鋼材である下段見切材６２が、間隙６０を、床パネル１２および側面パネル１６よりも外側から覆うことにより、意匠性および景観性を向上させることができる。本実施形態に係る足場構造１０は恒久足場とすることもできるが、例えば都市部における自動車専用道路の橋梁構造物に付属する恒久足場とする場合には、意匠性および景観性に対する重要度も高くなる。
【００９６】
また、側面パネル１６の上端部と橋梁構造物８０の上部工８２との間にも間隙６４が開いているが、図４に示すように、Ｔ字型の鋼材である上段見切材６６が、普通ボルト６６Ａによって支柱５２の上端に設けられた補剛板５２Ｃに取り付けられており、側面パネル１６よりも外側から間隙６４の一部を覆っている。
【００９７】
Ｔ字型の鋼材である上段見切材６６が、間隙６４の一部を、側面パネル１６よりも外側から覆うことにより、間隙６４から雨滴や鳥獣が足場構造１０の作業空間内に侵入することを未然に防ぐことができる。また、Ｔ字型の鋼材である上段見切材６６が、間隙６４を、側面パネル１６よりも外側から覆うことにより、意匠性および景観性を向上させることができる。本実施形態に係る足場構造１０は恒久足場とすることもできるが、前述したように、例えば都市部における自動車専用道路の橋梁構造物に付属する恒久足場とする場合には、意匠性および景観性に対する重要度も高くなる。
【００９８】
また、本実施形態の足場構造１０においては、床パネル１２および側面パネル１６のどちらにおいても、含まれる桟部材１２０はその長手方向が橋軸方向になっており、床パネル１２および側面パネル１６におけるそれぞれの桟部材１２０の長手方向が橋軸方向に揃うように配置されているので、足場構造１０の外観に整然さと規則性を与える。本実施形態の足場構造１０は、この点からも意匠性および景観性に優れる構造となっている。
【００９９】
（床パネル１２の変形例）
本実施形態に係る足場構造１０における床パネル１２は、図５（ａ）（上面図）および図５（ｂ）（側面図）を用いて前述したように、水平方向に所定の間隔おきに並列に配置される複数の桟部材１２０と、各桟部材１２０の両端部に沿って配置される一対の側枠１３０とを基本的な構成として備えており、一対の側枠１３０が並列に配置された複数の桟部材１２０の両端部を固定している。これにより床パネル１２は一定の形状を維持しており、床パネル１２を上方から見た形状は長方形状であり、側枠は桟部材１２０と直交する２辺のみに配置されており、桟部材１２０と平行な２辺には側枠は配置されていない。
【０１００】
しかしながら、本発明に適用可能な、ルーバー構造を有する床パネルは、図５に示す床パネル１２に限定されない。例えば図１５に示すように、長方形の４辺全てに側枠９０Ａを有し、長方形の短辺方向に平行に複数の細長い空隙を備えたルーバー構造９０Ｂを有する床パネル９０としてもよい。また、例えば図１６に示すように、床パネル９０の側枠９０Ａよりも幅の広い側枠９１Ａを有するようにしてもよく、長方形の短辺方向に平行に複数の細長い空隙を備えたルーバー構造９１Ｂおよび幅の広い側枠９１Ａを有する床パネル９１としてもよい。また、例えば図１７に示すように、長方形の４辺に位置する側枠９２Ａ以外にルーバー構造の部分を２か所に分割する中枠９２Ｂを有し、２つのルーバー構造９２Ｃを備えた床パネル９２としてもよい。また、例えば図１８に示すように、長方形の４辺に位置する側枠９３Ａ以外にルーバー構造の部分を４か所に分割する中枠９３Ｂを有し、４つのルーバー構造９３Ｃを備えた床パネル９３としてもよい。また、例えば図１９に示すように、長方形の短辺方向に平行に設けられた複数の細長い空隙９４Ａを、空隙９４Ａの幅よりも、隣り合う空隙９４Ａ同士の間の間隔９４Ｂの方が大きくなるようにまばらに有するルーバー構造９４Ｃを備えた床パネル９４としてもよい。また、例えば図２０に示すように、長方形の短辺方向に平行な細長い空隙９５Ａを短辺方向に２本配置するようにするとともに、空隙９５Ａの幅よりも、隣り合う空隙９５Ａ同士の間の間隔９５Ｂの方が大きくなるようにまばらに配置された複数の空隙９５Ａを有するルーバー構造９５Ｃを備えた床パネル９５としてもよい。
【符号の説明】
【０１０１】
１０…足場構造
１２、９０、９１、９２、９３、９４、９５…床パネル
１２Ａ、９０Ｂ、９１Ｂ、９２Ｃ、９３Ｃ、９４Ｃ、９５Ｃ…ルーバー構造
１４…床パネル取り付け構造
１６…側面パネル
１８…側面パネル取り付け構造
２０…第１の連結部材
２２、２２Ａ、２２Ｂ、４２、４８…腕材
２４…吊り材
２６…第２の連結部材
２８…縦梁
２８Ａ、３０Ａ…上フランジ
２８Ｂ、３０Ｂ…下フランジ
３０…横梁
３０Ｃ、８４Ａ、８６Ａ…ウェブ
３０Ｄ、３６Ａ…貫通孔
３０Ｅ、３０Ｆ、６０、６４…間隙
３２Ａ、３２Ｂ、３２Ｃ、３２Ｄ、３２Ｇ、５４Ａ、５４Ｂ、５４Ｃ、５４Ｅ、５４Ｆ、５４Ｇ…高力ボルト
３２Ｅ、３２Ｆ、３５、３７、５４Ｄ、５４Ｈ、５６、６２Ａ、６６Ａ、７０Ａ…普通ボルト
３４…床パネル固定金物
３４Ａ…鉛直部
３４Ｂ…水平部
３４Ｃ…下方突起部
３４Ｄ…長孔
３６…落下防止ワイヤ通し金具
４０…第３の連結部材
４４…第４の連結部材
４６…第５の連結部材
５０…第６の連結部材
５０Ａ…スペーサ
５２…支柱
５２Ａ、５２Ｂ…フランジ
６２…下段見切材
６６…上段見切材
６８…ワイヤ
６８Ａ…ストッパ
６８Ｂ…ワッシャー
７０…中分見切材
８０…橋梁構造物
８２…上部工
９０Ａ、９１Ａ、９２Ａ、９３Ａ、１３０…側枠
９２Ｂ、９３Ｂ…中枠
９４Ａ、９５Ａ…空隙
９４Ｂ、９５Ｂ…間隔
１１０…開孔床材（透かしパネル）
１２０…桟部材
１２０Ａ、１２０Ｄ…凸部
１２０Ｂ…凹部
１２０Ｃ…隙間
１３１…折曲補強片
１４０…ジョイントピース
【図１】
2017020340.tif 000003
【図２】
2017020340.tif 000004
【図３】
2017020340.tif 000005
【図４】
2017020340.tif 000006
【図５】
2017020340.tif 000007
【図６】
2017020340.tif 000008
【図７】
2017020340.tif 000009
【図８】
2017020340.tif 000010
【図９】
2017020340.tif 000011
【図１０】
2017020340.tif 000012
【図１１】
2017020340.tif 000013
【図１２】
2017020340.tif 000014
【図１３】
2017020340.tif 000015
【図１４】
2017020340.tif 000016
【図１５】
2017020340.tif 000017
【図１６】
2017020340.tif 000018
【図１７】
2017020340.tif 000019
【図１８】
2017020340.tif 000020
【図１９】
2017020340.tif 000021
【図２０】
2017020340.tif 000022
【図２１】
2017020340.tif 000023
【図２２】
2017020340.tif 000024
【図２３】
2017020340.tif 000025
【図２４】
2017020340.tif 000026
【図２５】
2017020340.tif 000027